(57)【特許請求の範囲】
【請求項１】
第１の筐体と、
第２の筐体と、
前記第１の筐体に対して前記第２の筐体を横向き状態と縦向き状態とに回転移動可能に連結する回転移動ガイド部材と、
この回転移動ガイド部材に設けられて、前記第１の筐体に対する前記第２の筐体の回転移動に伴ってＳ字形状に軌跡を変化させて制動する制動部と、
を備えていることを特徴とする電子機器。
【請求項２】
請求項１に記載された電子機器において、
前記回転移動ガイド部材は、前記第２の筐体が前記第１の筐体に対して回転移動する際に、前記第２の筐体の上下方向の動きを規制する第１の回転移動ガイド部と、前記第２の筐体が前記第１の筐体に対して回転移動する際に、前記第１の筐体に対する前記第２の筐体の横方向の動きを規制する第２の回転移動ガイド部とを備え、
前記制動部は、前記第２の回転移動ガイド部に設けられて前記第１の筐体に対する前記第２の筐体の回転移動を変化させて制動することを特徴とする電子機器。
【請求項３】
請求項２に記載された電子機器において、
前記第１の回転移動ガイド部は、前記第２の筐体に設けられた可動プレートと、この可動プレートに設けられた第１の可動軸と、前記第１の筐体に設けられたベースプレートと、このベースプレートに設けられて前記第１の可動軸をガイドする第１のガイド溝部とを備え、
前記第２の回転移動ガイド部は、前記可動プレートに設けられた第２の可動軸と、前記ベースプレートに設けられて前記第２の可動軸をガイドする第２のガイド溝部とを備え、
前記第１の可動軸が前記第１のガイド溝部に回転移動可能に取り付けられ、前記第２の可動軸が前記第２のガイド溝部に回転移動可能に取り付けられることにより、前記第２の筐体を前記第１の筐体に回転移動可能に連結することを特徴とする電子機器。
【請求項４】
請求項３に記載された電子機器において、
前記第１の回転移動ガイド部における前記第１の可動軸をガイドする前記第１のガイド溝部は、前記第２の筐体の上下方向の動きを規制するために、前記ベースプレートの横方向に沿って上側に湾曲するほぼ円弧状に形成されており、
前記第２の回転移動ガイド部における前記第２の可動軸をガイドする前記第２のガイド溝部は、前記第２の筐体が前記第１の筐体に対して回転移動する際に、前記第１の筐体に対する前記第２の筐体の横方向の動きを規制するために、前記ベースプレートの上下方向に沿って形成されていることを特徴とする電子機器。
【請求項５】
請求項３または請求項４に記載された電子機器において、
前記制動部は、前記第１の筐体に対する前記第２の筐体の回転移動に伴って前記第２の可動軸を上下方向にガイドする前記第２のガイド溝部の一部に設けられ、前記第２の可動軸の上下方向における移動方向をこれと異なる方向に変化させることを特徴とする電子機器。
【請求項６】
請求項５に記載された電子機器において、
前記制動部は、前記第２のガイド溝部の上下方向におけるほぼ中間部を湾曲させて、前記第１の筐体に対する前記第２の筐体の回転移動に伴う前記第２の可動軸の移動方向を徐々に変化させることを特徴とする電子機器。
【請求項７】
請求項１〜請求項６のいずれかに記載された電子機器において、
前記第２の筐体が横向き状態のときに前記第２の筐体を縦向き状態にさせる方向に向けて付勢すると共に、前記第２の筐体が縦向き状態のときに前記第２の筐体を横向き状態にさせる方向に向けて付勢し、且つ前記第２の筐体が回転移動してほぼ中間位置で斜めに傾斜した状態のときにニュートラル状態になり、前記第２の筐体に対する付勢力が無くなる一対の付勢部材を備えていることを特徴とする電子機器。
【発明の詳細な説明】
【技術分野】
【０００１】
この発明は、写真立てタイプなどのディスプレイ装置や、パーソナルコンピュータ、携帯電話機などの電子機器に関し、更に詳しくはディスプレイ画面を縦横に回転させる機構を備えた電子機器に関する。
【背景技術】
【０００２】
従来、携帯電話機などの電子機器においては、特許文献１に記載されているように、第１の筐体と、表示部を有する第２の筐体と、この第２の筐体を第１の筐体に対して横向き状態と縦向き状態とに回転移動可能に連結する回転移動ガイド部材と、第２の筐体が横向き状態と縦向き状態とになるように第２の筐体を付勢するねじりコイルばねとを備えた構成のものが知られている。
【先行技術文献】
【特許文献】
【０００３】
【特許文献１】特開２００８−８６０３９号公報
【０００４】
このような電子機器では、第２の筐体が第１の筐体に対して横向き状態のときに、ねじりコイルばねのばね力によって第２の筐体が横向き状態になるように付勢されており、第２の筐体が横向き状態から縦向き状態に回転移動する際に、第２の筐体が横向き状態から回転移動し始めると、ねじりコイルばねのばね力が徐々に強くなる。
【０００５】
そして、第２の筐体が回転移動して中間位置付近に到達すると、ねじりコイルばねのばね力が最も強くなり、この状態で第２の筐体が更に縦向き状態になるように回転移動すると、ねじりコイルばねによる付勢方向が反転し、ねじりコイルばねのばね力が徐々に弱くなる。このため、第２の筐体は弱いばね力で縦向き状態になるように付勢されている。
【０００６】
また、この電子機器では、第２の筐体を第１の筐体に対して縦向き状態から横向き状態に回転移動させる際にも、第２の筐体が縦向き状態から回転移動し始めると、ねじりコイルばねのばね力が徐々に強くなり、第２の筐体が回転移動して中間位置付近に到達すると、ねじりコイルばねのばね力が最も強くなる。そして、第２の筐体が更に横向き状態になるように回転移動すると、ねじりコイルばねによる付勢方向が反転し、ねじりコイルばねのばね力が徐々に弱くなる。このため、第２の筐体は弱いばね力で横向き状態になるように付勢されている。
【発明の概要】
【発明が解決しようとする課題】
【０００７】
しかしながら、このような従来の電子機器では、第２の筐体が第１の筐体に対して回転移動する際に、その回転移動の途中でねじりコイルばねのばね力が最も強くなるように構成されているため、第２の筐体をスムースに回転移動させることができないばかりか、第２の筐体が横向き状態と縦向き状態とになるように、ねじりコイルばねが第２の筐体を付勢しているので、第２の筐体を横向き状態から縦向き状態に回転移動させる際、および縦向き状態から横向き状態に回転移動させる際に、第２の筐体の動き出しが重くなり、スムースに第２の筐体を回転させることができないという問題がある。
【０００８】
また、このような電子機器を例えばパーソナルコンピュータに用いて第１の筐体を卓上に載置して第２の筐体を起立させた状態で使用する場合には、第２の筐体を縦向き状態から横向き状態に回転移動させる際に、第２の筐体の自重による回転モーメントと重力とによって、第２の筐体の回転が加速されて第２の筐体に加速度が生じ、この加速度とねじりコイルばねのばね力とによって、第２の筐体が勢いよく回転して横向き状態になるため、第２の筐体に衝撃が加わり、この衝撃によって第２の筐体内に組み込まれた電子部品が破損したり、衝撃音などの異音が発生したりするという問題もある。
【０００９】
この発明が解決しようとする課題は、第１の筐体に対して第２の筐体を回転移動させる際の操作性が良く、且つ第１の筐体に対する第２の筐体による衝撃を緩和することができる電子機器を提供することである。
【課題を解決するための手段】
【００１０】
この発明は、上記課題を解決するために、次のような構成要素を備えている。
請求項１に記載の発明は、第１の筐体と、第２の筐体と、前記第１の筐体に対して前記第２の筐体を横向き状態と縦向き状態とに回転移動可能に連結する回転移動ガイド部材と、この回転移動ガイド部材に設けられて、前記第１の筐体に対する前記第２の筐体の回転移動に伴ってＳ字形状に軌跡を変化させて制動する制動部と、を備えていることを特徴とする電子機器である。
【００１１】
請求項２に記載の発明は、請求項１に記載された電子機器において、前記回転移動ガイド部材は、前記第２の筐体が前記第１の筐体に対して回転移動する際に、前記第２の筐体の上下方向の動きを規制する第１の回転移動ガイド部と、前記第２の筐体が前記第１の筐体に対して回転移動する際に、前記第１の筐体に対する前記第２の筐体の横方向の動きを規制する第２の回転移動ガイド部とを備え、前記制動部は、前記第２の回転移動ガイド部に設けられて前記第１の筐体に対する前記第２の筐体の回転移動を変化させて制動することを特徴とする電子機器である。
【００１２】
請求項３に記載の発明は、請求項２に記載された電子機器において、前記第１の回転移動ガイド部は、前記第２の筐体に設けられた可動プレートと、この可動プレートに設けられた第１の可動軸と、前記第１の筐体に設けられたベースプレートと、このベースプレートに設けられて前記第１の可動軸をガイドする第１のガイド溝部とを備え、前記第２の回転移動ガイド部は、前記可動プレートに設けられた第２の可動軸と、前記ベースプレートに設けられて前記第２の可動軸をガイドする第２のガイド溝部とを備え、前記第１の可動軸が前記第１のガイド溝部に回転移動可能に取り付けられ、前記第２の可動軸が前記第２のガイド溝部に回転移動可能に取り付けられることにより、前記第２の筐体を前記第１の筐体に回転移動可能に連結することを特徴とする電子機器である。
【００１３】
請求項４に記載の発明は、請求項３に記載された電子機器において、前記第１の回転移動ガイド部における前記第１の可動軸をガイドする前記第１のガイド溝部は、前記第２の筐体の上下方向の動きを規制するために、前記ベースプレートの横方向に沿って上側に湾曲するほぼ円弧状に形成されており、前記第２の回転移動ガイド部における前記第２の可動軸をガイドする前記第２のガイド溝部は、前記第２の筐体が前記第１の筐体に対して回転移動する際に、前記第１の筐体に対する前記第２の筐体の横方向の動きを規制するために、前記ベースプレートの上下方向に沿って形成されていることを特徴とする電子機器である。
【００１４】
請求項５に記載の発明は、請求項３または請求項４に記載された電子機器において、前記制動部は、前記第１の筐体に対する前記第２の筐体の回転移動に伴って前記第２の可動軸を上下方向にガイドする前記第２のガイド溝部の一部に設けられ、前記第２の可動軸の上下方向における移動方向をこれと異なる方向に変化させることを特徴とする電子機器である。
【００１５】
請求項６に記載の発明は、請求項５に記載された電子機器において、前記制動部は、前記第２のガイド溝部の上下方向におけるほぼ中間部を湾曲させて、前記第１の筐体に対する前記第２の筐体の回転移動に伴う前記第２の可動軸の移動方向を徐々に変化させることを特徴とする電子機器である。
【００１６】
請求項７に記載の発明は、請求項１〜請求項６のいずれかに記載された電子機器において、前記第２の筐体が横向き状態のときに前記第２の筐体を縦向き状態にさせる方向に向けて付勢すると共に、前記第２の筐体が縦向き状態のときに前記第２の筐体を横向き状態にさせる方向に向けて付勢し、且つ前記第２の筐体が回転移動してほぼ中間位置で斜めに傾斜した状態のときにニュートラル状態になり、前記第２の筐体に対する付勢力が無くなる一対の付勢部材を備えていることを特徴とする電子機器である。
【発明の効果】
【００１７】
この発明によれば、第２の筐体を第１の筐体に対して回転移動させる際に、第２の筐体の動き出しをスムースに行うことができると共に、第２の筐体が動き出して第２の筐体が慣性力によって加速されても、制動部によって第２の筐体の回転速度を減速させることができる。このため、第１の筐体に対する第２の筐体の回転操作性が良く、且つ第２の筐体の回転移動に伴う第１の筐体に対する第２の筐体による衝撃を緩和することができ、これにより使い勝手が良く、第２の筐体に組み込まれた電子部品が衝撃によって破損するのを防ぐと共に、衝撃音などの異音の発生をも防ぐことができる。
【図面の簡単な説明】
【００１８】
【図１】この発明を適用した電子機器の一実施形態を示した正面図である。
【図２】図１に示された電子機器の一部を破断して示した拡大側面図である。
【図３】図１に示された電子機器の第２の筐体が横向き状態において、その電子機器を裏面側から見て分解して示した拡大斜視図である。
【図４】図３に示された電子機器の第２の筐体が横向き状態において、その電子機器を前面側から透かして見た要部の拡大正面図である。
【図５】図１に示された電子機器における要部を前面側から透かして見たときの要部の位置関係を示した図である。
【図６】図１に示された電子機器において第２の筐体が縦向き状態のときの正面図である。
【図７】図６に示された電子機器における要部を前面側から透かして見たときの要部の位置関係を示した図である。
【図８】図１に示された電子機器の第２の筐体がほぼ６０度回転移動してほぼ中間位置で斜めに傾いたニュートラル状態において、その要部を前面側から透かして見たときの要部の位置関係を示した図である。
【図９】図１に示された電子機器の第２の筐体が横向き状態から回転移動して少し斜めに傾いた状態において、その要部を前面側から透かして見たときの要部の位置関係を示した図である。
【図１０】図９に示された電子機器の第２の筐体が更に回転移動してほぼ中間位置で斜めに傾いたニュートラル状態に近づく状態において、その要部を前面側から透かして見たときの要部の位置関係を示した図である。
【発明を実施するための形態】
【００１９】
以下、図１〜図１０を参照して、この発明を適用した電子機器の一実施形態について説明する。
この電子機器は、図１および図２に示すように、第１の筐体１と第２の筐体２とを備えた写真立てタイプのディスプレイ装置である。第１の筐体１は、卓上などの載置面上に載置される台座部３と、この台座部３上に起立して設けられた支持ケース部４とを備えている。また、第２の筐体２は、長方形状のケース部５と、このケース部５に組み込まれて前面側（図２では左側）に露呈する入力表示部６とを備えている。
【００２０】
入力表示部６は、図示しないが、画像などの情報を表示すると共に、この表示された情報を見ながらタッチ操作するものであり、透明なタッチパネルと表示パネルとを積層した構成になっている。表示パネルは、液晶表示パネルやＥＬ（エレクトロルミネッセンス）表示パネルなどの平面型の表示パネルからなり、各種の情報を電気光学的に表示するように構成されている。透明なタッチパネルは、表示パネルの表面に設けられて表示パネルに表示された情報を見ながらタッチ操作することにより、表示パネルに表示される画像の選択や、その画像の拡大縮小などの画像処理をするように構成されている。
【００２１】
ところで、この電子機器は、図１および図２に示すように、第１の筐体１の支持ケース部４に対して第２の筐体２のケース部５を起立させた状態で、横向き状態と縦向き状態とに回転移動可能に連結する回転移動ガイド部材７と、第２の筐体２にその回転方向に付勢力を付与する付勢部材８とを備えている。この場合、第２の筐体２の横向き状態とは、入力表示部６が横方向に長い状態で情報を横向きに表示する状態のことであり、また第２の筐体２の縦向き状態とは、入力表示部６が縦方向に長い状態で情報を縦向きに表示する状態のことである。
【００２２】
回転移動ガイド部材７は、図１〜図４に示すように、第２の筐体２が第１の筐体１に対して回転移動する際に、第２の筐体２の上下方向の動きを規制する第１の回転移動ガイド部１１と、第２の筐体２が第１の筐体１に対して回転移動する際に、第１の筐体１に対する第２の筐体２の横方向の動きを規制する第２の回転移動ガイド部１２と、この第２の回転移動ガイド部１２に設けられて第１の筐体１に対する第２の筐体２の回転移動を変化させて制動する制動部１０とを備えている。
【００２３】
第１の回転移動ガイド部１１は、図３および図４に示すように、第２の筐体２のケース部５に設けられた可動プレート１３と、この可動プレート１３に設けられた第１の可動軸１４と、第１の筐体１の支持ケース部４に設けられたベースプレート１５と、このベースプレート１５に設けられて第１の可動軸１４をそれぞれスライド可能で且つ回転可能にガイドする第１のガイド溝部１６とを備えている。
【００２４】
また、第２の回転移動ガイド部１２は、図３および図４に示すように、第２の筐体２のケース部５に設けられた可動プレート１３と、この可動プレート１３に設けられた第２の可動軸１７と、第１の筐体１の支持ケース部４に設けられたベースプレート１５と、このベースプレート１５に設けられて第２の可動軸１７をそれぞれスライド可能で且つ回転可能にガイドする第２のガイド溝部１８とを備えている。
【００２５】
この場合、第１の回転移動ガイド部１１の第１の可動軸１４は、図３に示すように、ベースプレート１５の第１のガイド溝部１６の縁部を摺動可能に挟む一対のリング部１４ａ、１４ｂと、この一対のリング部１４ａ、１４ｂがワッシャ１４ｃを介して回転可能に取り付けられて可動プレート１３に取り付けられる取付ピン１４ｄとを備えている。
【００２６】
また、第２の回転移動ガイド部１２の第２の可動軸１７は、図３に示すように、ベースプレート１５の第２のガイド溝部１５内に挿入して可動プレート１３に取り付けられる筒軸１７ａと、この筒軸１７ａの一端部に設けられてベースプレート１５の縁部を可動プレート１３に引き寄せる鍔部１７ｂと、第２のガイド溝部１８の縁部を摺動可能に挟んで筒軸１７ａに取り付けられる一対のリング部１７ｃ、１７ｄと、鍔部１７ｂに押えられたリング部１７ｃとベースプレート１５との間に配置されるワッシャ１７ｅとを備えている。
【００２７】
これにより、この回転移動ガイド部材７は、図２〜図４に示すように、第１の回転移動ガイド部１１の第１の可動軸１４が第１のガイド溝部１６に回転移動可能に取り付けられ、第２の回転移動ガイド部１２の第２の可動軸１７が第２のガイド溝部１８に回転移動可能に取り付けられていることにより、第２の筐体２を第１の筐体１に対して回転移動可能に連結するように構成されている。
【００２８】
この場合、可動プレート１３は、ステンレスなどの金属板からなり、図２および図３に示すように、第２の筐体２におけるケース部５の裏面（図２では右側面）のほぼ中央部に埋め込まれた状態で取り付けられている。また、第１の回転移動ガイド部１１における第１の可動軸１４は、図３および図４に示すように、第２の筐体２が横向き状態のときに、可動プレート１３の左下部に位置する箇所に起立して設けられている。第２の回転移動ガイド部１２における第２の可動軸１７は、第２の筐体２が横向き状態のときに、可動プレート１３における第１の可動軸１４の右斜め上側に位置する箇所に起立して設けられている。
【００２９】
また、ベースプレート１５は、ステンレスなどの金属板からなり、図２および図３に示すように、第２の筐体２の裏面（図２では右側面）に対面する第１の筐体１の支持ケース部４における前面（図２では左側面）のほぼ中央部に埋め込まれた状態で取り付けられている。第１の回転移動ガイド部１１における第１のガイド溝部１６は、図３および図４に示すように、第２の筐体２の回転移動に伴って第１の可動軸１４をガイドするものであり、ベースプレート１５の下部にその横方向（図４では左右方向）に沿って上側に向けて凸となるように湾曲するほぼ円弧状に形成されている。
【００３０】
この場合、第１のガイド溝部１６は、図３および図４に示すように、第２の筐体２が横向き状態のときに、第１の可動軸１４が第１のガイド溝部１６の左端部１６ａに位置し、図６および図７に示すように、第２の筐体２が縦向き状態のときに、第１の可動軸１４が第１のガイド溝部１６の右端部１６ｂに位置するように形成されている。このため、この第１のガイド溝部１６は、図１に実線で示すように、第２の筐体２が横向き状態のときの下辺部と、図１に２点鎖線で示すように、第２の筐体２が縦向き状態のときの下辺部とが、ほぼ同じ位置になるように、第１のガイド溝部１６の左端部１６ａがその右端部１６ｂよりも低い位置に形成されている。
【００３１】
また、この第１のガイド溝部１６は、図５および図７に示すように、第２の筐体２が横向き状態から縦向き状態になるように回転移動する際に、図９および図１０に示すように、第１の可動軸１４が第１のガイド溝部１６の左端部１６ａから徐々に左上側に向けて移動するように構成されている。また、この第１のガイド溝部１６は、図８に示すように、第２の筐体２がほぼ６０度回転してほぼ中間位置で斜めに傾いた状態のときに、ニュートラル状態となり、第１の可動軸１４が第１のガイド溝部１６のほぼ中間位置の最も高い位置に移動するように構成されている。
【００３２】
さらに、この第１のガイド溝部１６は、図８に示すように、第２の筐体２がほぼ６０度回転してほぼ中間位置で斜めに傾いたニュートラル状態から縦向き状態になる方向に向けて回転移動する際に、第１の可動軸１４が第１のガイド溝部１６に沿って徐々に右下側に向けて移動するように構成されている。また、この第１のガイド溝部１６は、図７に示すように、第２の筐体２が横向き状態から９０度回転して縦向き状態になったときに、第１の可動軸１４が第１のガイド溝部１６の右端部１６ｂに移動するように構成されている。
【００３３】
これにより、第１のガイド溝部１６は、図１および図５に示すように、第２の筐体２が横向き状態から縦向き状態に回転移動する際、または第２の筐体２が縦向き状態から横向き状態に回転移動する際に、第２の筐体２の下部に位置する箇所が、上下方向にほとんど変動せずに、ほぼ直線的な筐体移動軌跡Ｋ上を移動するように構成されている。すなわち、この筐体移動軌跡Ｋは、図１および図６に示すように、その中間部分が少し下がるような極めて緩やかに湾曲するほぼ直線に近い状態、つまり曲率半径が極めて大きいほぼ円弧を描くように構成されている。
【００３４】
一方、第２の回転移動ガイド部１２における第２のガイド溝部１８は、図３および図４に示すように、第２の筐体２の回転移動に伴って第２の可動軸１７をガイドするものであり、ベースプレート１５における第１のガイド溝部１６の上側に位置する箇所に、その下部から上部に向けて形成されている。すなわち、この第２のガイド溝部１８は、図４に示すように、第１のガイド溝部１６のほぼ中間部における接線と直交する法線に沿って上下方向に少し傾いた状態で形成されている。
【００３５】
この第２のガイド溝部１８は、第２の筐体２が横向き状態のときに、図３および図４に示すように、第２の可動軸１７が下端部１８ａに位置し、第２の筐体２が縦向き状態のときに、図６および図７に示すように、第２の可動軸１７が下端部１８ａから少し上側に位置し、第２の筐体２がほぼ６０度回転してほぼ中間位置で斜めに傾いたニュートラル状態のときに、図８に示すように、第２の可動軸１７が第２のガイド溝部１８における上端部１８ｂに最も接近するように形成されている。
【００３６】
すなわち、この第２のガイド溝部１８は、第２の筐体２が横向き状態から縦向き状態になるように回転移動する際に、図５に示すように、第２の可動軸１７が第２のガイド溝部１８の下端部１８ａから徐々に上側に向けて移動し、図８に示すように、第２の筐体２がほぼ６０度回転してほぼ中間位置で斜めに傾いたニュートラル状態のときに、第２の可動軸１７が第２のガイド溝部１８における上端部１８ｂに最も接近するように形成されている。
【００３７】
また、この第２のガイド溝部１８は、第２の筐体２がほぼ６０度回転してほぼ中間位置で斜めに傾いたニュートラル状態から更に縦向き状態になるように回転移動する際に、図７および図８に示すように、第２の可動軸１７が第２のガイド溝部１８の上端部１８ｂから徐々に下側に向けて移動し、図７に示すように、第２の筐体２が縦向き状態になったときに、第２の可動軸１７が第２のガイド溝部１８における下端部１８ａに最も接近するように形成されている。
【００３８】
同様に、この第２のガイド溝部１８は、縦向き状態から横向き状態になるように回転移動する際に、図７に示すように、第２の可動軸１７が第２のガイド溝部１８の下端部１８ａから徐々に上側に向けて移動し、図８に示すように、第２の筐体２がほぼ中間位置で斜めに傾いたニュートラル状態のときに、第２の可動軸１７が第２のガイド溝部１８における上端部１８ｂに最も接近するように形成されている。
【００３９】
さらに、この第２のガイド溝部１８は、第２の筐体２がほぼ中間位置で斜めに傾いたニュートラル状態から更に横向き状態になるように回転移動する際に、図９および図１０
に示すように、第２の可動軸１７が第２のガイド溝部１８の上端部１８ｂから徐々に下側に向けて移動し、図５に示すように、第２の筐体２が横向き状態になったときに、第２の可動軸１７が第２のガイド溝部１８における下端部１８ａに位置するように形成されている。
【００４０】
これにより、第２のガイド溝部１８は、図１および図６に示すように、第２の筐体２が横向き状態から縦向き状態に回転移動する際、または第２の筐体２が縦向き状態から横向き状態に回転移動する際に、第２の筐体２における横方向（図１では左右方向）の動きを規制することにより、第２の筐体２の横振れを防ぎながら第２の筐体２の回転移動をガイドするように構成されている。
【００４１】
ところで、この第２のガイド溝部１８には、図３および図４に示すように、第１の筐体１に対して第２の筐体２が回転移動する際に、第２のガイド溝部１８に沿って移動する第２の可動軸１７の移動方向を変化させて、第２の可動軸１７の動きを制動するための制御部１０が設けられている。すなわち、この制御部１０は、第２のガイド溝部１８の上下方向における中間部分にほぼＳ字形状に湾曲して設けられた屈曲部であり、第２のガイド溝部１８に沿って移動する第２の可動軸１７の上下方向における移動方向をこれと異なる方向（図４では左右方向）に変化させるように構成されている。
【００４２】
これにより、制動部１０は、図３および図４に示すように、第２の可動軸１７が第２のガイド溝部１８に沿って上下方向に移動する際に、第２の可動軸１７の垂直方向のベクトルを斜め方向に変化させて、左右方向のベクトル成分と上下方向のベクトル成分とに分散し、第２の可動軸１７の上下方向の移動速度を減速させるように構成されている。また、この制動部１０は、第２の可動軸１７が第２のガイド溝部１８に沿って上下方向に移動する際に、この第２のガイド溝部の中間部分において第２の可動軸１７を湾曲移動させることにより、第２の可動軸１７の移動方向を徐々に変化させるように構成されている。
【００４３】
この場合、第２のガイド溝部１８は、第２の筐体２が横向き状態から回転移動を開始してほぼ中間位置で斜めに傾いたニュートラル状態に近づくときに、図８〜図１０に示すように、第２の可動軸１７が第２のガイド溝部１８の下端部１８ａから徐々に上側に移動すると、第２の可動軸１７が第２のガイド溝部１８の中間部分に設けられた制御部１０によって斜め横方向（図１０では斜め右上方向）に湾曲移動した後に、第２の可動軸１７が第２のガイド溝部１８の上端部１８ｂに接近するように構成されている。
【００４４】
また、この第２のガイド溝部１８は、第２の筐体２がほぼ６０度回転したほぼ中間位置で斜めに傾いたニュートラル状態から更に回転して縦向き状態になるときに、図７および図８に示すように、第２の可動軸１７が第２のガイド溝部１８の上端部１８ｂから徐々に下側に移動すると、第２の可動軸１７が第２のガイド溝部１８の中間部分に設けられた制御部１０によって斜め横方向（図８では斜め右下方向）に湾曲移動した後に、図７に示すように、第２の可動軸１７が第２のガイド溝部１８の下端部１８ａに接近するように構成されている。
【００４５】
同様に、この第２のガイド溝部１８は、第２の筐体２が縦向き状態から横向き状態になる方向に回転移動を開始してほぼ中間位置で斜めに傾いたニュートラル状態に近づくときに、図７および図８に示すように、第２の可動軸１７が第２のガイド溝部１８の下端部１８ａから徐々に上側に移動すると、第２の可動軸１７が第２のガイド溝部１８の中間部分に設けられた制御部１０によって斜め横方向に湾曲移動した後に、第２の可動軸１７が第２のガイド溝部１８の上端部１８ｂに接近するように構成されている。
【００４６】
さらに、この第２のガイド溝部１８は、第２の筐体２がほぼ中間位置で斜めに傾いたニュートラル状態から更に回転して横向き状態になるときに、図９および図１０に示すように、第２の可動軸１７が第２のガイド溝部１８の上端部１８ｂから徐々に下側に移動すると、第２の可動軸１７が第２のガイド溝部１８の中間部分に設けられた制御部１０によって斜め横方向に湾曲移動した後に、図５に示すように、第２の可動軸１７が第２のガイド溝部１８の下端部１８ａに位置するように構成されている。
【００４７】
ところで、第２の筐体２に付勢力を付与する付勢部材８は、図３〜図５に示すように、第２の筐体２が横向き状態のときに第２の筐体２を縦向き状態にさせる方向に向けて付勢すると共に、図７に示すように、第２の筐体２が縦向き状態のときに第２の筐体２を横向き状態にさせる方向に向けて付勢し、且つ図８に示すように、第２の筐体２が回転移動してほぼ６０度回転してほぼ中間位置で斜めに傾いたニュートラル状態のときに第２の筐体２に対する付勢力が最小になるように構成されている。
【００４８】
すなわち、この付勢部材８は、図３〜図５に示すように、一対のコイルばね２０、２１を備えている。一方のコイルばね２０は、一端部が第２の筐体２の第２の可動軸１７におけるリング部１７ｄに取り付けられ、他端部が第１の筐体１のベースプレート１５における第２のガイド溝部１８の中間部付近の左側に位置する第１の固定部１５ａに取り付けられている。
【００４９】
また、他方のコイルばね２１は、図３〜図５に示すように、一端部が第２の筐体２の第２の可動軸１７におけるリング部１７ｄに取り付けられ、他端部が第１の筐体１のベースプレート１５における第２のガイド溝部１８の中間部付近の右側に位置する第２の固定部１５ｂに取り付けられている。
【００５０】
この一対のコイルばね２０、２１は、その長さが最も長く伸びたときに、それぞれ引張方向のばね力が最も強くなり、逆にその長さが最も短く縮んだときに、引張方向のばね力がそれぞれ最も弱くなるように構成されている。これにより、一対のコイルばね２０、２１は、図５および図７に示すように、第２の可動軸１７が第２のガイド溝部１８の下端部１８ａに位置する状態のとき、すなわち第２の筐体２が横向き状態のとき、および第２の筐体２が縦向き状態のときに、それぞれ最も長く伸び、第２の可動軸１７を第２のガイド溝部１８の上側に向けて移動させるように、ばね力が最も強く働くように構成されている。
【００５１】
また、このコイルばね２０、２１は、図８に示すように、第２の可動軸１７が第２のガイド溝部１８の上端部１８ｂに位置する状態のとき、すなわち第２の筐体２が横向き状態からほぼ６０度回転してほぼ中間位置で斜めに傾いたニュートラル状態のときに、その長さが最も短くなり、ばね力が最も弱くなって、第２の筐体２のいずれの回転方向にも働かず（付勢せず）に、第２の筐体２を回転可能な自由状態にするように構成されている。
【００５２】
次に、この電子機器の作用について説明する。
この電子機器において第２の筐体２が第１の筐体１に対して横向き状態のときには、図４および図５に示すように、第１の筐体１と第２の筐体２とを連結する回転移動ガイド部材７の第１の回転移動ガイド部１１における第２の筐体２に設けられた可動プレート１３の第１の可動軸１４が、第１の筐体１に設けられたベースプレート１５の第１のガイド溝部１６における左端部１６ａに位置している。
【００５３】
また、第２の回転移動ガイド部１２における可動プレート１３の第２の可動軸１７は、ベースプレート１５の第２のガイド溝部１８の下端部１８ａに位置している。この状態では、付勢部材８の一対のコイルばね２０、２１が、最も伸びて第２の可動軸１７を引き上げる方向にばね力が働いている（付勢されている）。これにより、第２の筐体２は、一対のコイルばね２０、２１の各ばね力によって縦向き状態になる方向に付勢されている。
【００５４】
この状態で、第２の筐体２を横向き状態から縦向き状態にする方向に向けて回転移動させる際には、付勢部材８の一対のコイルばね２０、２１の各ばね力によって第２の筐体２を軽い力で回転移動させることができる。すなわち、第２の筐体２が横向き状態のときには、第２の筐体２の重心位置Ｇが最も低く、第２の筐体２の重量による回転モーメントも大きいので、第２の筐体２を横向き状態から縦向き状態にする方向に回転移動させる際に、第２の筐体２を回転移動させるための負荷が大きくなる。
【００５５】
しかし、このときには、第２の筐体２を縦向き状態にさせる方向に付勢された付勢部材８の一対のコイルばね２０、２１の各ばね力によって、第２の筐体２の重量による負荷が相殺されるので、第２の筐体２を軽い力で回転移動させることができる。このため、第２の筐体２の重量が重く、第１の筐体１の重量が軽くても、第２の筐体２を横向き状態から縦向き状態にする方向に回転移動させる際に、第１の筐体１が第２の筐体２の回転移動に伴って浮き上がることがないので、第１の筐体１を手で押さえる必要がなく、良好に第２の筐体２を回転させることができる。
【００５６】
そして、第２の筐体２が横向き状態から縦向き状態になる方向に回転移動を開始すると、図９および図１０に示すように、可動プレート１３の第１の可動軸１４がベースプレート１５の第１のガイド溝部１６に沿って移動すると共に、可動プレート１３の第２の可動軸１７がベースプレート１５の第２のガイド溝部１８に沿って移動する。このときには、第１の可動軸１４が第１のガイド溝部１６の左端部１６ａから右上側に向けて徐々に回転しながら移動すると共に、第２の可動軸１７が第２のガイド溝部１８の下端部１８ａから上方に向けて回転しながら移動する。
【００５７】
このため、第２の筐体２は、第１の筐体１に対して図９および図１０において反時計回りに回転する。このときには、図１０に示すように、第１の可動軸１４が第１のガイド溝部１６に沿って右上側に向けて徐々に回転移動するので、第２の筐体２の下部に位置する部分が上下方向にほとんど変動することなく、図１に示すほぼ直線状の筐体移動軌跡Ｋ上を移動する。
【００５８】
また、このように第２の筐体２が回転移動する際には、図９および図１０に示すように、第１の可動軸１４の回転移動に伴って付勢部材８の一対のコイルばね２０、２１が徐々に収縮して短くなり、第２の筐体２を縦向き状態にさせる方向のばね力が徐々に弱くなる。また、このときには、第２の可動軸１７が第２のガイド溝部１８に設けられた制動部１０によって湾曲移動しながら上側に移動する。
【００５９】
すなわち、第２の可動軸１７が制御部１０によって湾曲移動する際には、図９および図１０に示すように、第２の可動軸１７の移動方向が制御部１０の湾曲に沿って徐々に変化し、第２の可動軸１７の垂直方向のベクトルが斜め方向のベクトルに変化して、左右方向のベクトル成分と上下方向のベクトル成分とに分散され、第２の可動軸１７の上方に移動する速度が減速される。このため、第２の筐体２はゆっくり回転移動する。
【００６０】
そして、第２の筐体２がほぼ６０度回転してほぼ中間位置で斜めに傾いた状態に回転移動すると、図８に示すように、ニュートラル状態になり、第１の可動軸１４が第１のガイド溝部１６のほぼ中間に位置する最も高い位置に回転移動すると共に、第２の可動軸１７が第２のガイド溝部１８の上端部１８ｂに向けて移動して最も接近する。このため、第２の筐体２は、第１の筐体１に対して図８に示すように傾いた状態になる。
【００６１】
このときには、第１の可動軸１４が第１のガイド溝部１６の最も高い位置に回転移動するので、第２の筐体２の重心位置Ｇが最も高くなると共に、第２の筐体２の下部に位置する部分が最も下側に位置するが、その下側の部分は上下方向にほとんど変動することなく、図１に示すほぼ直線状の筐体移動軌跡Ｋ上を移動する。
【００６２】
また、このように第２の筐体２がほぼ６０度回転してほぼ中間位置で斜めに傾いたニュートラル状態に回転移動した際には、図８に示すように、第１の可動軸１４の回転移動に伴って付勢部材８の一対のコイルばね２０、２１が最も収縮して短くなり、これに伴って各ばね力が最も弱くなる。これにより、ニュートラル状態のときには、一対のコイルばね２０、２１の各ばね力が第２の筐体２のいずれの回転方向にも働かない（付勢しない）。
【００６３】
この後、第２の筐体２が更に回転移動してニュートラル状態を通過した際には、図７に示すように、第１の可動軸１４が第１のガイド溝部１６に沿って右下側に向けて徐々に回転しながら移動すると共に、第２の可動軸１７が第２のガイド溝部１８の上端部１８ｂから下方に向けて移動する。このため、第２の筐体２は、第１の筐体１に対して図８において反時計回りに回転して縦向き状態に近づく。
【００６４】
このときには、第１の可動軸１４が第１のガイド溝部１６に沿って右下側に向けて徐々に回転移動するので、第２の筐体２の重心位置Ｇが最も高い位置から少し下がると共に、第２の筐体２の下部に位置する部分が、上下方向にほとんど変動することなく、図１および図５に示すほぼ直線状の筐体移動軌跡Ｋ上を移動する。
【００６５】
また、このように第２の筐体２が回転移動する際には、図７に示すように、第１の可動軸１４の回転移動に伴って付勢部材８の一対のコイルばね２０、２１が、徐々に伸びて第２の筐体２を横向き状態にさせる方向のばね力が徐々に強くなる。また、このときには、第２の可動軸１７が第２のガイド溝部１８に設けられた制動部１０によって湾曲移動しながら下側に向けて移動する。
【００６６】
このときにも、第２の可動軸１７が制御部１０によって湾曲移動する際には、図９および図１０に示すように、第２の可動軸１７の移動方向が制御部１０の湾曲に沿って徐々に変化し、第２の可動軸１７の垂直方向のベクトルが斜め方向のベクトルに変化して、左右方向のベクトル成分と上下方向のベクトル成分とに分散され、第２の可動軸１７の下方に移動する速度が減速される。このため、第２の筐体２はゆっくり回転移動する。
【００６７】
そして、第２の筐体２が縦向き状態になると、図７に示すように、第１の可動軸１４が第１のガイド溝部１６の右端部１６ｂに移動すると共に、第２の可動軸１７が第２のガイド溝部１８の下端部１８ａに接近する位置に移動する。これにより、第２の筐体２は、第１の筐体１に対して図８において反時計回りに回転して縦向き状態になる。このときには、第１の可動軸１４が第１のガイド溝部１６の右端部１６ｂに位置するので、第２の筐体２の下辺部が横向き状態のときの第２筐体２の下辺部と同じ位置になる。
【００６８】
このように第２の筐体２が縦向き状態になると、図７に示すように、第２の筐体２の重心位置Ｇが最も高い位置から僅かに下側に移動すると共に、第１の可動軸１４の回転移動に伴って付勢部材８の一対のコイルばね２０、２１が最も長く伸び、これに伴って第２の筐体２を横向き状態にさせる方向のばね力が最も強くなる。
【００６９】
この状態で、第２の筐体２を縦向き状態から横向き状態になるように回転移動させる際には、付勢部材８の一対のコイルばね２０、２１における各ばね力によって、第２の筐体２がほぼ横向き状態になる方向に付勢されていることにより、第２の筐体２が横向き状態のときと同様、第２の筐体２を軽い力で回転移動させることができる。
【００７０】
そして、第２の筐体２が縦向き状態から横向き状態になるように回転移動を開始すると、可動プレート１３の第１の可動軸１４が、ベースプレート１５の第１のガイド溝部１６に沿って移動すると共に、可動プレート１３の第２の可動軸１７が、ベースプレート１５の第２のガイド溝部１８に沿って移動する。
【００７１】
このときには、図７および図８に示すように、第１の可動軸１４が第１のガイド溝部１６の右端部１６ｂから左上側に向けて徐々に回転しながら移動すると共に、第２の可動軸１７が第２のガイド溝部１８の下端部１８ａから上方に向けて移動する。このため、第２の筐体２は、第１の筐体１に対して図７において時計回りに回転する。
【００７２】
このときにも、第１の可動軸１４が第１のガイド溝部１６に沿って右上側に向けて徐々に回転移動するので、第２の筐体２の下部に位置する部分が上下方向にほとんど変動することなく、図１および図６に示すほぼ直線状の筐体移動軌跡Ｋ上を移動する。また、このときにも、図７および図８に示すように、第１の可動軸１４の回転移動に伴って付勢部材８の一対のコイルばね２０、２１が徐々に収縮して短くなり、第２の筐体２を横向き状態にさせる方向のばね力が徐々に弱くなる。
【００７３】
また、このときには、第２の可動軸１７が第２のガイド溝部１８に設けられた制動部１０によって湾曲移動しながら下側に移動する。このときにも、第２の可動軸１７の移動方向が制御部１０の湾曲に沿って徐々に変化し、第２の可動軸１７の垂直方向のベクトルが斜め方向のベクトルに変化して、左右方向のベクトル成分と上下方向のベクトル成分とに分散され、第２の可動軸１７の下方に移動する速度が減速される。このため、第２の筐体２はゆっくり回転移動する。
【００７４】
そして、第２の筐体２が回転移動して斜めに傾いたニュートラル状態に回転移動すると、図８に示すように、第１の可動軸１４が第１のガイド溝部１６のほぼ中間に位置する最も高い位置に回転移動すると共に、第２の可動軸１７が第２のガイド溝部１８の上端部１８ｂに向けて移動して最も接近する。このため、第２の筐体２は、第１の筐体１に対して図８に示すように傾いた状態になり、第２の筐体２の重心位置Ｇが最も高くなる。
【００７５】
このときには、図８に示すように、第１の可動軸１４の回転移動に伴って付勢部材８の一対のコイルばね２０、２１が最も収縮して短くなり、これに伴って各ばね力が最も弱くなる。これにより、ニュートラル状態のときには、一対のコイルばね２０、２１の各ばね力が第２の筐体２のいずれの回転方向にも働かない（付勢しない）。
【００７６】
この後、第２の筐体２が更に回転移動してニュートラル状態を通過した際には、図８および図１０に示すように、第１の可動軸１４が第１のガイド溝部１６に沿って左下側に向けて徐々に回転しながら移動すると共に、第２の可動軸１７が第２のガイド溝部１８の上端部１８ｂから下方に向けて移動する。このため、第２の筐体２は、第１の筐体１に対して図１０において時計回りに回転して横向き状態に近づく。
【００７７】
このときには、第１の可動軸１４が第１のガイド溝部１６に沿って左下側に向けて徐々に回転移動するので、第２の筐体２の重心位置Ｇが最も高い位置から少し下がると共に、第２の筐体２の下部に位置する部分が、上下方向にほとんど変動することなく、図１および図６に示すほぼ直線状の筐体移動軌跡Ｋ上を移動する。
【００７８】
また、このように第２の筐体２が回転移動する際には、図１０に示すように、第１の可動軸１４の回転移動に伴って付勢部材８の一対のコイルばね２０、２１が、徐々に伸びて第２の筐体２を縦向き状態にさせる方向のばね力が徐々に強くなる。また、このときには、第２の可動軸１７が第２のガイド溝部１８に設けられた制動部１０によって湾曲移動しながら下側に向けて移動する。
【００７９】
このときにも、第２の可動軸１７が制御部１０によって湾曲移動する際には、図９および図１０に示すように、第２の可動軸１７の移動方向が制御部１０の湾曲に沿って徐々に変化し、第２の可動軸１７の垂直方向のベクトルが斜め方向のベクトルに変化して、左右方向のベクトル成分と上下方向のベクトル成分とに分散され、第２の可動軸１７の下方に移動する速度が減速される。このため、第２の筐体２はゆっくり回転移動する。
【００８０】
このときには、第２の筐体２の重心位置Ｇが徐々に下がると共に、第２の筐体２の重量による回転モーメントが徐々に大きくなるので、第２の筐体２は重力により加速されて加速度が生じ、第２の筐体２が速い速度で回転移動することになる。しかし、第２の可動軸１７が第２のガイド溝部１８に設けられた制動部１０によって湾曲移動しながら下側に向けて移動するため、第２の可動軸１７の移動速度が減速され、第２の筐体２の回転速度が制動される。
【００８１】
これにより、第２の筐体２に加速度に伴う慣性力が生じても、その慣性力を第２のガイド溝部１８に設けられた制動部１０によって軽減して、第２の筐体２をゆっくり回転移動させる。また、このときには、付勢部材８の一対のコイルばね２０、２１が、第２の筐体２を縦向き状態にさせる方向に徐々に強くなるため、この一対のコイルばね２０、２１の各ばね力によっても、第２の筐体２の回転速度を制動することができる。これにより、第２の筐体２に加速度に伴う慣性力が生じても、その慣性力を軽減して、第２の筐体２をゆっくり回転移動させる。
【００８２】
そして、第２の筐体２が横向き状態になると、図５に示すように、第１の可動軸１４が第１のガイド溝部１６の左端部１６ａに移動して停止すると共に、第２の可動軸１７が第２のガイド溝部１８の下端部１８ａに移動して停止する。このため、第２の筐体２は、第１の筐体１に対して図９において時計回りにゆっくり回転して横向き状態になり、第１の筐体１に対する第２の筐体２の回転移動よる衝撃が第２のガイド溝部１８の制動部１０および一対のコイルばね２０、２１によって吸収されて緩和される。
【００８３】
このように、この電子機器によれば、第１の筐体１に対して第２の筐体２を横向き状態と縦向き状態とに回転移動可能に連結する回転移動ガイド部材７と、この回転移動ガイド部材７に設けられて第１の筐体１に対する第２の筐体２の回転移動を変化させて制動する制動部１０と、を備えているので、第１の筐体１に対して第２の筐体２を回転移動させる際の操作性が良く、且つ第１の筐体１に対する第２の筐体２による衝撃を緩和することができる。
【００８４】
すなわち、この電子機器によれば、第２の筐体２を第１の筐体１に対して回転移動させる際に、第２の筐体２の動き出しをスムースに行うことができる。また、第２の筐体２が回転移動して停止するときには、第２の筐体２の回転移動の途中において、制動部１０が第２の筐体２の回転移動を制動して、第２の筐体２をゆっくり回転移動させて停止させることができる。
【００８５】
このため、この電子機器によれば、第１の筐体１に対して第２の筐体２を回転移動させる際に、その回転移動の操作性が良いほか、第１の筐体１に対する第２の筐体２の回転移動に伴う衝撃を制動部１０の制動によって緩和することができる。これにより、第２の筐体２に組み込まれた入力表示部６などの電子部品が衝撃によって破損するのを防ぐことができると共に、衝撃音などの異音の発生をも防ぐことができる。
【００８６】
この場合、回転移動ガイド部材７は、第２の筐体２が第１の筐体１に対して回転移動する際に、第２の筐体２の上下方向の動きを規制する第１の回転移動ガイド部１１と、第２の筐体２が第１の筐体１に対して回転移動する際に、第１の筐体１に対する第２の筐体２の横方向の動きを規制する第２の回転移動ガイド部１２とを備え、制動部１０が、第２の回転移動ガイド部１２に設けられて第１の筐体１に対する第２の筐体２の回転移動を変化させて制動するので、第２の筐体２の下部に位置する部分をほとんど上下方向に変動させずに、第２の筐体２を回転移動させることができると共に、簡単な構造で良好に第１の筐体１に対する第２の筐体２の回転移動に伴う衝撃を制動部１０の制動によって緩和することができる。
【００８７】
また、第１の回転移動ガイド部１１は、第２の筐体２に設けられた可動プレート１３と、この可動プレート１３に設けられた第１の可動軸１４と、第１の筐体１に設けられたベースプレート１５と、このベースプレート１５に設けられて第１の可動軸１４をガイドする第１のガイド溝部１６とを備え、第２の回転移動ガイド部１２は、可動プレート１３に設けられた第２の可動軸１７と、ベースプレート１５に設けられて第２の可動軸１７をガイドする第２のガイド溝部１８とを備え、第１の可動軸１４が第１のガイド溝部１６に回転移動可能に取り付けられ、第２の可動軸１７が第２のガイド溝部１８に回転移動可能に取り付けられることにより、第２の筐体２を第１の筐体１に回転移動可能に連結する構成であるから、第２の筐体２を第１の筐体１に確実に且つ良好に取り付けることができると共に、第２の筐体２を第１の筐体１に対して円滑に且つ良好に回転移動させることができる。
【００８８】
また、この回転移動ガイド部材７の第１の回転移動ガイド部１１における第１の可動軸１１をガイドする第１のガイド溝部１６は、第２の筐体２が第１の筐体１に対して回転移動する際に、第２の筐体２の上下方向の動きを規制するように、ベースプレート１５の横方向に沿って上側に湾曲するほぼ円弧状に形成されていることにより、第２の筐体２の下部に位置する部分をほとんど上下方向に変動させることがなく、ほぼ直線状の筐体移動軌跡Ｋに沿って安定させた状態で、円滑に且つ良好に移動させることができる。
【００８９】
すなわち、第２の筐体２を横向き状態から縦向き状態に回転移動させる際、または第２の筐体２を縦向き状態から横向き状態に回転移動させる際には、第１のガイド溝部１６が第１の可動軸１４を第１のガイド溝部１６に沿って徐々に上側に移動させるので、第２の筐体２の両側下部の角部が下側に向けて回転移動しても、第２の筐体２が第１のガイド溝部１６に沿って徐々に上側に移動して、第２の筐体２の角部が下側に突出するのを抑えることができる。これにより、第２の筐体２の下部に位置する部分がほとんど上下方向に変動することがなく、第２の筐体２の下部に位置する部分を水平なほぼ直線状の筐体移動軌跡Ｋに沿って安定させた状態で移動させることができる。
【００９０】
また、この回転移動ガイド部材７の第２の回転移動ガイド部１２における第２の可動軸１７をガイドする第２のガイド溝部１８は、第２の筐体２が第１の筐体１に対して回転移動する際に、第１の筐体１に対する第２の筐体２の横方向の動きを規制するように、ベースプレート１５の上下方向に沿って形成されているので、第２の筐体２を横向き状態から縦向き状態に回転移動させる際、または第２の筐体２を縦向き状態から横向き状態に回転移動させる際に、第２の可動軸１７を第２のガイド溝部１８によって上下方向にガイドすることにより、第２の筐体２の横方向の動きを規制して、第２の筐体２が横振れしないように、第２の筐体２を安定させた状態で円滑に且つスムースに回転移動させることができる。
【００９１】
さらに、制動部１０は、第１の筐体１に対する第２の筐体２の回転移動に伴って第２の可動軸１７を上下方向にガイドする第２のガイド溝部１８の一部に設けられ、第２の可動軸１７の上下方向における移動方向をこれと異なる方向に変化させる構成であることにより、第２の可動軸１７が第２のガイド溝部１８に沿って上下方向に移動する際に、第２の可動軸１７の垂直方向のベクトルを斜め方向に変化させて、左右方向のベクトル成分と上下方向のベクトル成分とに分散することができ、これにより第２の可動軸１７の上下方向の移動速度を確実に且つ良好に減速させることができる。
【００９２】
この場合、制動部１０は、第２のガイド溝部１８の上下方向におけるほぼ中間部を湾曲させて、第１の筐体１に対する第２の筐体２の回転移動に伴う第２の可動軸１７の移動方向を徐々に変化させる構成であることにより、第２の筐体２の回転移動に伴って第２の可動軸１７が上下方向に移動する際に、第２のガイド溝部１８の湾曲した制動部１０によって第２の可動軸１７の移動方向を緩やかに変化させて、第２の可動軸１７の移動速度を良好に減速させることができ、これによっても第１の筐体１に対する第２の筐体２の回転移動に伴う衝撃を制動部１０によって確実に且つ良好に緩和することができる。
【００９３】
また、この制動部１０は、第２の筐体２が横向き状態から縦向き状態に回転移動する際、または第２の筐体２が縦向き状態から横向き状態に回転移動する際に、第２の可動軸１７が第２のガイド溝部１８を上下方向にそれぞれ２往復するため、第２の可動軸１７を制動部１０によって２度に亘って制動することができる。これにより、第２の可動軸１７の移動速度を、より一層、確実に減速させることができる。このため、第１の筐体１に対する第２の筐体２の回転移動に伴う衝撃を制動部１０によって確実に且つ良好に緩和することができる。
【００９４】
また、この電子機器では、第２の筐体２が横向き状態のときに第２の筐体２を縦向き状態にさせる方向に向けて付勢すると共に、第２の筐体２が縦向き状態のときに第２の筐体２を横向き状態にさせる方向に向けて付勢し、且つ第２の筐体２が回転移動してほぼ中間位置で斜めに傾斜した状態のときにニュートラル状態になり、第２の筐体２に対する付勢力が最小になる付勢部材８を備えているので、この付勢部材８によっても、第１の筐体１に対して第２の筐体２を回転移動させる際の操作性が良く、且つ第１の筐体１に対する第２の筐体２による衝撃を緩和することができる。
【００９５】
すなわち、第２の筐体２を第１の筐体１に対して回転移動させる際には、付勢部材８の付勢力によっても第２の筐体２の動き出しをスムースに行うことができると共に、第２の筐体２が動き出すと、付勢部材８の付勢力が徐々に弱くなるので、円滑に且つスムースに第２筐体２を回転移動させることができる。また、第２の筐体２が回転移動して停止するときには、制動部１０によって第２の筐体２の回転移動を制動すると共に、付勢部材８の付勢力によっても、第２の筐体２をゆっくり回転移動させて停止させることができる。
【００９６】
このため、この電子機器によれば、第２の第１の筐体１に対して第２の筐体２を回転移動させる際に、制動部１０と付勢部材８とによって第２の筐体２の回転移動の操作性が良く、第２の筐体２を第１の筐体１に対して円滑に且つスムースに回転移動させることができると共に、第１の筐体１に対する第２の筐体２の回転移動に伴う衝撃を制動部１０の制動と付勢部材８の付勢力とによって確実に且つ良好に緩和することができ、これにより第２の筐体２に組み込まれた入力表示部６などの電子部品が衝撃によって破損するのを確実に防ぐことができる。
【００９７】
なお、上記実施形態では、第２の筐体２に付勢力を付与する付勢部材８を備えた構成である場合について述べたが、必ずしも付勢部材８を用いる必要はなく、第２の筐体２が回転移動する際に、その第２の筐体の回転移動を変化させて制動する制動部１０を備えただけの構成であっても良い。この場合、制動部１０は、第２のガイド溝部１８の一部に形成された曲率半径の小さい急なカーブの湾曲部であっても良く、また曲率半径の大きい緩やかなカーブの湾曲部であっても良い。
【００９８】
また、上記実施形態では、第１の筐体１に対する第２の筐体２の横方向の動きを規制する第２の回転移動ガイド部１２において、第２の可動軸１７をガイドする第２のガイド溝部１８に制動部１０を設けた場合について述べたが、これに限らず、例えば第１の筐体１に対する第２の筐体２の上下方向の動きを規制する第１の回転移動ガイド部１１において、第１の可動軸１４をガイドする第１のガイド溝部１６に制動部を設けた構成であっても良い。
【００９９】
さらに、上記実施形態では、第１の筐体１と第２の筐体２とを備えた写真立てタイプのディスプレイ装置に適用した場合について述べたが、必ずしも写真立てタイプのディスプレイ装置である必要はなく、例えばパーソナルコンピュータや、携帯電話機など、第１の筐体に対して第２の筐体が横向き状態と縦向き状態とに回転移動する電子機器に広く適用することができる。
【符号の説明】
【０１００】
１  第１の筐体
２  第２の筐体
６  入力表示部
７  回転移動ガイド部材
８  付勢部材
１０  制動部
１１  第１の回転移動ガイド部
１２  第２の回転移動ガイド部
１３  可動プレート
１４  第１の可動軸
１５  ベースプレート
１６  第１のガイド溝部
１７  第２の可動軸
１８  第２のガイド溝部
２０、２１  コイルばね
Ｋ  筐体移動軌跡
Ｇ  重心位置
【図１】
0005645059.tif 000002
【図２】
0005645059.tif 000003
【図３】
0005645059.tif 000004
【図４】
0005645059.tif 000005
【図５】
0005645059.tif 000006
【図６】
0005645059.tif 000007
【図７】
0005645059.tif 000008
【図８】
0005645059.tif 000009
【図９】
0005645059.tif 000010
【図１０】
0005645059.tif 000011